(57)【要約】      （修正有）【課題】断熱効果が高く、既設のサッシ枠に取り付けることが可能な断熱サッシ戸を提供する。【解決手段】既設のサッシ枠１、２に取り付け可能な断熱サッシ戸であって、サッシ枠に装着する障子枠５、６を含む障子を有し、障子は室内外方向に所定の間隔を隔てて複数の板材１４〜１７を保持することで３層以上の断熱層を形成する。【選択図】図２
0003231405.tif 000002
【実用新案登録請求の範囲】
【請求項１】
既設のサッシ枠に取り付け可能な断熱サッシ戸であって、
前記サッシ枠に装着する障子を有し、
前記障子は室内外方向に所定の間隔を隔てて複数の板材を保持することで３層以上の断熱層を形成したことを特徴とする断熱サッシ戸。
【請求項２】
前記障子は障子上枠，障子下枠及び左右の障子縦枠で内枠体を形成し、
前記内枠体は内側に取付け可能でこの内枠体よりも幅広の枠部材を有し、前記枠部材に複数の板材を保持させたことを特徴とする請求項１記載の断熱サッシ戸。
【請求項３】
前記枠部材は複数の板材の間隔を保持するための複数の保持ピースと、前記保持ピースを取り付けるための基材とを有することを特徴とする請求項１又は２記載の断熱サッシ戸。
【請求項４】
前記複数の板材はガラス板と樹脂板とからなり、前記樹脂板はその端部と前記枠部材との間に隙間を形成してあることを特徴とする請求項２又は３に記載の断熱サッシ戸。
【考案の詳細な説明】
【技術分野】
【０００１】
本考案は、断熱サッシ戸に関し、特に既設の窓枠（サッシ枠）に取り付けることができる断熱サッシ戸に係る。
【背景技術】
【０００２】
省エネルギーや結露防止等の目的に複層ガラスからなる断熱サッシ戸が市販されている。
また、特許文献１には既設の窓ガラスに中空層支持体を介して、新設の後付けガラスを貼り合せた複層ガラスを開示する。
しかし、施工が大変である技術的課題があった。
【先行技術文献】
【特許文献】
【０００３】
【特許文献１】特開２０１５−２０９３５号公報
【考案の開示】
【考案が解決しようとする課題】
【０００４】
本考案は、断熱効果が高く、既設のサッシ枠に取り付けることが可能な断熱サッシ戸の提供を目的とする。
【課題を解決するための手段】
【０００５】
本考案に係る断熱サッシ戸は、既設のサッシ枠に取り付け可能な断熱サッシ戸であって、前記サッシ枠に装着する障子を有し、前記障子は室内外方向に所定の間隔を隔てて複数の板材を保持することで３層以上の断熱層を形成したことを特徴とする。
ここで、３層以上の断熱層とは、板材の間にできる空気層からなる断熱層が３つ以上有することをいい、板材が４枚の場合断熱層が３層になり、板材が５枚の場合には断熱層が４層できる。
本考案にあって、障子は障子上枠，障子下枠及び左右の障子縦枠で内枠体を形成し、前記内枠体は内側に取付け可能でこの内枠体よりも幅広の枠部材を有し、前記枠部材に複数の板材を保持させてもよい。
このようにすると、枠部材で複数の板材を保持させた後に、内枠体に組み付けることができる。
また、内枠体の幅寸法（厚み）を既設のサッシ枠に合せつつ、複数の板材を保持できる。
【０００６】
本考案において、枠部材は複数の板材の間隔を保持するための複数の保持ピースと、前記保持ピースを取り付けるための基材とを有するようにすることもでき、この場合に複数の板材はガラス板と樹脂板とからなり、前記樹脂板はその端部と前記枠部材との間に隙間を形成してあるのが好ましい。
樹脂板は、ガラス板に比較して熱膨張率が大きいので、その伸縮を吸収するのが容易になる。
【考案の効果】
【０００７】
本考案に係る断熱サッシ戸は、既設のサッシ枠に装着されているサッシ戸を取り外して、その替わりに装着できるように、既設のサッシ戸と同じ内枠体（障子）に室内外方向に厚みのある３層以上の断熱層を形成できるので、既設の窓構造を改造することなく、断熱サッシ戸の装着ができる。
本考案に係る断熱サッシ戸は、固定窓あるいはスライド窓でもよく、例えば室内レールと室外レールを有する引き違い窓に、本考案に係る断熱サッシ戸を装着する場合には、室外レールに対しては断熱層が外側にはみ出すように、室内レールに対しては断熱層が内側にはみ出すように装着する。
これにより、改造工事をすることなく容易に、省エネルギー化を図ることができる。
【図面の簡単な説明】
【０００８】
【図１】本考案に係る断熱サッシ戸の構造例において枠部材に板材を組み込んだ構造例を示す。
【図２】本考案に係る断熱サッシ戸をサッシ枠に装着する例を示す。
【図３】既設のサッシ枠に本考案に係る断熱サッシ戸を装着した例を示す。
【図４】既設のサッシ枠に本考案に係る断熱サッシ戸を装着した引き違い窓の縦断面図を示す。
【図５】既設のサッシ枠に本考案に係る断熱サッシ戸を装着した場合の召合せ部の断面図を示す。
【図６】引き違い窓の例を示す。
【考案を実施するための最良の形態】
【０００９】
本考案に係る断熱サッシ戸は、固定窓，引き違い窓等、装着される窓構造に制限はない。
本実施例は、図６に示すように既設のサッシ枠がサッシ上枠１，サッシ下枠２と左右のサッシ縦枠３，４からなるサッシ枠に、２つの障子をスライド可能に装着した引き違い窓の例である。
【００１０】
図６に示した引き違い窓の縦断面図を図４に示し、召合せ部の横断面図を図５に示す。
外障子となる室外側の障子Ａと、内障子となる室内側の障子Ｂとがサッシ枠内側に引き違いに装着されている。
障子Ａ，Ｂは、共通の符号を用いてあり、以下障子Ａに基づいて説明する。
障子Ａは、障子上枠５，障子下枠６と左右の障子縦枠７，８とで内枠体を形成し、その周方向内側に枠部材１２ａ，１２ｂを取り付け、複数の板材を用いて複数の断層構造を形成してある。
その構造を図１に示す。
【００１１】
障子上枠側の枠部材１２ａ，１２ｂと、障子下枠側の枠部材１２ａ，１２ｂとは、上下対称になっている。
中空部１１ｂを有する中空断面形状からなる基材１１の内側に複数の凹部形状からなる嵌着部（１１ａ，１１ａ）を形成し、これに複数の保持ピース１３を嵌合連結する。
保持ピース１３は、基材１１の嵌着部（１１ａ，１１ａ）に、嵌合連結する嵌合片（１３ａ，１３ａ）と板材との間をシールするシール材取付部１３ｂを有し、図１ではシール材の図示を省略してある。
本実施例では、最も室外にガラス板からなる外側板材１４を配置し、最も室内側にアクリル板からなる内側板材１５を配置し、その間に２枚のアクリル板からなる第１仕切板１６と第２仕切板材１７を配置することで、空気層からなる３つの断熱層ｄ１，ｄ２，ｄ３を形成した例になっている。
【００１２】
基材１１に嵌着した複数の保持ピース１３の間に、第１仕切板材１６と第２仕切板材１７を挟み込み、室外側の保持ピース１３と室外側の枠部材１２ａとの間に、外側板材１４を挟み、室内側の保持ピース１３と室内側の枠部材１２ｂとの間に、内側板材１５を挟み込むように組み付けてある。
室外側の枠部材１２ａと室内側の枠部材１２ｂは、それぞれ基材１１にビス等の固定部材１８にて固定連結してある。
また、外側板材１４と枠部材１２ａとの間及び、内側板材１５と枠部材１２ｂとの間には、シール部材を設けることになるが、このシール部材の表示は省略してある。
【００１３】
室内側の枠部材１２ｂは、外周面に差し込み片（１２ｃ，１２ｃ）を形成することで、図４に示すように障子上枠５，障子下枠６の差し込み部５ｂ，６ｂに差し込み連結する。
障子縦枠７，８にも図５に示すように、上下の障子枠と同様に差し込み部７ｂ，８ｂを形成し、枠部材を差し込み連結してある。
【００１４】
室外側の障子を外枠（サッシ枠）の周方向内側に装着する例を図２，図３に示す。
既設のサッシ上枠１とサッシ下枠２とには、外レール１ａ，２ａと内レール１ｂ，２ｂを有しているが、このサッシ下枠２のレールに戸車等を用いて室内外の障子がスライド自在に装着される。
従って、図４，図５に示すように、障子側のスライド凹部５ａ，６ａ，７ａ，８ａが、サッシ側のレールに沿ってスライドする位置関係を取り替える前のサッシ戸と同様にしつつ、室外側の障子は枠部材１２ａ，１２ｂを外側に張り出し、室内側の障子は枠部材１２ａ，１２ｂを室内側に張り出すことで、厚み方向の幅寸法が上下，左右の内枠体の厚みよりも厚い幅寸法からなる断熱層を形成することができる。
【００１５】
本実施例は、外側板材１４にガラス板を用い、それよりも内側の板材にアクリル板からなる樹脂板を用いることで、軽量化を図ってある。
この場合に、樹脂板は熱膨張率が大きく、外気温や室内温の変化により、外径寸法が伸縮する。
そこで本実施例では、図１で説明すると、板材の端部と基材１１との間に隙間ｄ４，ｄ５ができるように、図５，図６にて示した支持ピン１９を樹脂板と保持ピース１３とに貫通させるように連通保持させてある。
また、ガラス板は、内側に紫外線をカットするものや、遮熱性を有するフィルムを貼り付けてもよい。
このようなフィルムは、ガラスの保護効果もあり、外部からの侵入を防ぐ防犯効果も向上する。
３層の空気層からなる断熱層を有すると、結露が生じにくく、防音効果も向上する。
これにより、夏の冷房や冬の暖房の効率も向上する。
【００１６】
本考案に係る断熱サッシ戸は、既設のアルミサッシ等のサッシ枠から既存のガラス障子を取り外し、次にこのガラス障子からガラス板を取り外し、図１に示した枠部材で組み立てた断熱面材を障子（内枠体）に組み込むことができる。
【符号の説明】
【００１７】
１        サッシ上枠
２        サッシ下枠
３        サッシ縦枠
４        サッシ縦枠
５        障子上枠
６        障子下枠
７        障子縦枠
８        障子縦枠
１１      基材
１２ａ    枠部材
１２ｂ    枠部材
１３      保持ピース
１４      外側板材
１５      内側板材
１６      第１仕切板材
１７      第２仕切板材
【図１】
0003231405.tif 000003
【図２】
0003231405.tif 000004
【図３】
0003231405.tif 000005
【図４】
0003231405.tif 000006
【図５】
0003231405.tif 000007
【図６】
0003231405.tif 000008
【手続補正書】
【提出日】令和3年1月21日(2021.1.21)
【手続補正１】
【補正対象書類名】実用新案登録請求の範囲
【補正対象項目名】全文
【補正方法】変更
【補正の内容】
【実用新案登録請求の範囲】
【請求項１】
既設のサッシ枠に取り付け可能な断熱サッシ戸であって、
前記サッシ枠に装着する障子を有し、
前記障子は室内外方向に所定の間隔を隔てて複数の板材を保持することで３層以上の断熱層を形成したことを特徴とする断熱サッシ戸。
【請求項２】
前記障子は障子上枠，障子下枠及び左右の障子縦枠で内枠体を形成し、
前記内枠体は内側に取付け可能でこの内枠体よりも幅広の枠部材を有し、前記枠部材に複数の板材を保持させたことを特徴とする請求項１記載の断熱サッシ戸。
【請求項３】
前記枠部材は複数の板材の間隔を保持するための複数の保持ピースと、前記保持ピースを取り付けるための基材とを有することを特徴とする請求項２記載の断熱サッシ戸。
【請求項４】
前記複数の板材はガラス板と樹脂板とからなり、前記樹脂板はその端部と前記枠部材との間に隙間を形成してあることを特徴とする請求項２記載の断熱サッシ戸。